(57)【要約】【課題】生地本体の一側面に直接昇降コードを取着できるようにして、面倒な従来の作業を払拭し製作時間の短縮並びに製作コストの大幅な低廉を可能としたローマンシエードのカーテン生地を提供する。【解決手段】生地本体１が織物生地からなり吊り下げて使用されるローマンシエード１３のカーテン生地１２であって、該生地本体１の一側面１ａに上下方向に沿って複数本の横方向を向く糸２ａが束としてその一側面１ａ側へ浮き上がるように形成される浮糸部２を複数設け、該各浮糸部２と生地本体１の一側面１ａとの間に形成される縦隙間Ｓに昇降コード７を挿通するようにした構成からなる。【選択図】図２
2010029272.tif 000002
【特許請求の範囲】
【請求項１】
生地本体が織物生地からなり該生地本体を吊り下げて使用されるローマンシエードのカーテン生地であって、
前記生地本体の一側面に上下方向に沿って複数本の横方向を向く糸が束としてその一側面側へ浮き上がるように形成される浮糸部を複数設け、前記各浮糸部と前記生地本体の一側面との間に形成される縦隙間に昇降コードを挿通するようにしたことを特徴とするローマンシエードのカーテン生地。
【請求項２】
生地本体がレース生地からなり該生地本体を吊り下げて使用されるローマンシエードのカーテン生地であって、
前記生地本体の一側面に上下方向に沿って複数本の横方向を向く柄糸が束としてその一側面側へ浮き上がるように形成される浮糸部を複数設け、前記各浮糸部と前記生地本体の一側面との間に形成される縦隙間に昇降コードを挿通するようにしたことを特徴とするローマンシエードのカーテン生地。
【発明の詳細な説明】
【技術分野】
【０００１】
この発明は、カーテン生地を昇降動させるための昇降コードを簡単に取着できるようにして製作コストの低廉を図ったローマンシエードのカーテン生地に関するものである。
【背景技術】
【０００２】
従来のローマンシエードは、カーテン生地として例えば各種のデザインが施された織物生地またはレース生地が用いられ、これらを所定の寸法に裁断して使用されている。そして、該裁断された織物生地又はレース生地である生地本体における裏面に、上下方向に沿って縫着手段により複数本のリングテープを固定している。これら各リングテープには、その長手方向すなわち上下方向に沿って昇降コードを挿通してガイドする複数のガイド環が等間隔に取着されている。これらガイド環も、同様に縫着手段によりリングテープの一側面に取着されている（例えば、特許文献１参照。）。
【０００３】
【特許文献１】特開２００３−２３５７１９号公報（第３−４頁段落００１２、図１）
【発明の開示】
【発明が解決しようとする課題】
【０００４】
しかしながら、前記特許文献１のようなローマンシエードのカーテン生地にあっては、ガイド環を取着するにためにリングテープを用意し、該リングテープの一側面に縫着手段により複数のガイド環を取着し、更に、これらガイド環が取着された複数本のリングテープを生地本体の一側面に上下方向に沿って縫着しなければならない。このように、リングテープに対してガイド環をまた生地本体に対してリングテープをそれぞれ縫着するといった多くの手間の掛かる作業を強いられることから、その作業が極めて面倒であって、多くの作業時間を費やすばかりか、これらに掛かる費用も高くなっている。よって、結果的にローマンシエードの製作コストが非常に高くつくという重大な課題が有る。また、これは、ローマンシエードを広く世に普及させる上において解決すべき課題の一つである。
【０００５】
そこで、本発明は上記課題に鑑みてなされたもので、生地本体の一側面に直接昇降コードを取着できるようにして、面倒な従来の作業を払拭し製作時間の短縮並びに製作コストの大幅な低廉を可能としたローマンシエードのカーテン生地を提供することを目的とするものである。
【課題を解決するための手段】
【０００６】
かかる目的を達成するため本発明に係るローマンシエードのカーテン生地は、生地本体が織物生地からなり該生地本体を吊り下げて使用されるローマンシエードのカーテン生地であって、前記生地本体の一側面に上下方向に沿って複数本の横方向を向く糸が束としてその一側面側へ浮き上がるように形成される浮糸部を複数設け、前記各浮糸部と前記生地本体の一側面との間に形成される縦隙間に昇降コードを挿通するようにしたことを特徴とする。
【０００７】
また、ローマンシエードのカーテン生地は、生地本体がレース生地からなり該生地本体を吊り下げて使用されるローマンシエードのカーテン生地であって、前記生地本体の一側面に上下方向に沿って複数本の横方向を向く柄糸が束としてその一側面側へ浮き上がるように形成される浮糸部を複数設け、前記各浮糸部と前記生地本体の一側面との間に形成される縦隙間に昇降コードを挿通するようにしたことを特徴とする。
【発明の効果】
【０００８】
本発明に係るローマンシエードのカーテン生地は、生地本体が織物生地の場合、生地本体の一側面に上下方向に沿って複数本の横方向を向く糸が束としてその一側面側へ浮き上がるように形成される浮糸部を複数設け、該各浮糸部と生地本体の一側面との間に形成される縦隙間に昇降コードを挿通するようにした。また、生地本体がレース生地の場合、生地本体の一側面に上下方向に沿って複数本の横方向を向く柄糸が束としてその一側面側へ浮き上がるように形成される浮糸部を複数設け、該各浮糸部と生地本体の一側面との間に形成される縦隙間に昇降コードを挿通するようにした。
【０００９】
よって、本発明は、昇降コードを取着するために従来のようにガイド環をリングテープに縫着したり、該リングテープを生地本体に縫着するといった面倒な作業を一切必要としないことから、カーテン生地の製作が極めて容易であって楽になる。しかも、その製作時間も大幅に短縮されるばかりか、製作コストも格段に低廉になしえ、引いては、この種のローマンシエードの普及に際し絶大な効果を有する。
【発明を実施するための最良の形態】
【００１０】
以下、本発明に係るローマンシエードのカーテン生地の実施の形態について図面に基づき詳しく説明する。この実施の形態で示されるローマンシエードは、昇降コードを巻き取る巻取りドラムを備えたチエーン式のものである。なお、本発明は、この方式のローマンシエードに限られるものではない。図１は本発明に係る生地本体の裏面斜視図、図２（イ）は生地本体裏面の一部拡大斜視図、図２（ロ）は同一部拡大断面図である。生地本体としては、織物生地とレース生地のいずれであっても本発明は適用できるが、まず、織物生地特に平織物生地について説明する。
【００１１】
図１に示されカーテン生地となる生地本体１は、吊るしたとき上下方向すなわち縦方向に沿って縦糸が織られ、該上下方向と直交する水平方向すなわち横方向に沿って横糸が織られている。そして、図示は省略するが、生地本体１の表面に各種デザインの柄が施される。一方、生地本体１の一側面すなわち裏面１ａに上下方向に沿って後記する昇降コード７を挿通して取着するため複数の浮糸部２が等間隔に複数設けられている。これら上下方向の浮糸部群３は、生地本体１の横幅寸法に合わせて複数本列設される。また、生地本体１における裏面１ａの上端縁に沿って雌型の貼り合せファスナー４が固着される。該雌型の貼り合せファスナー４は、後記する吊り杆２２の一側面に貼着された雄型の貼り合せファスナー１５に剥離自在に貼着される。これに対し、生地本体１の下端部にその長手方向に沿って袋状部５が成形され、該袋状部５に生地本体１が皺のできないように綺麗に張られるためのウエイトバー６が内装される。
【００１２】
前記各浮糸部２は、図２（イ）（ロ）に示すように一部の横糸２ａを所定の横幅に合わせて飛ばし、その部位のみ横糸２ａを束として裏面１ａ側へ浮き上がらせて縦糸２ｂと交絡しないようにしてある。この浮糸部２は、昇降コード７に対する強度が保持されるように横糸２ａの太さ若しくは本数が選定される。これにより、浮糸部２にあっては、該浮糸部２を構成する束としての複数の横糸２ａと生地本体１との間に縦隙間Ｓが形成される。この縦隙間Ｓに、昇降コード７が挿通して取着されることになる。また、昇降コード７の両端に後記する係止具８，８が取着されるが、下側の係止具８は昇降コード７が自在に取り外せるようになっている。
【００１３】
そして、生地本体１の裏面１ａの上下方向に沿って複数個設けられた各浮糸部２に昇降コード７を挿通する。該昇降コード７は、通常、生地本体１の縦寸法よりも長く形成されるが、例えば、最小寸法として生地本体１の縦寸法とほぼ同じ寸法になるようにしても良い。また、昇降コード７の上端と下端には係止具８が設けられる。該係止具８は、例えば、図５に示すように細い針金９を楕円状に屈曲して成形され、そのほぼ中央部の一方の針金９を切断すると共にその一方の端部を掛止部１０とし、前記楕円状の針金９の中央部に両端側が各針金９に巻き付くように折り曲げられる固定板１１を設けて形成される。そして、掛止部１０が、固定板１１の一方の捲付き部１１ａに係脱自在に係止できるようになっている。また、各昇降コード７の上下端部の係止具８，８が、生地本体１の上下端に位置する各浮糸部２，２にそれぞれ挿通して取着される。これにより、カーテン生地１２が完成する。
【００１４】
ローマンシエード１３は図３に示すように前記カーテン生地１２と該カーテン生地１２を吊り下げる吊り杆１４とから構成されており、次に、該吊り杆１４について説明する。一般に、ローマンシエード１３は室内の窓枠等の壁の開口部（図示せず。）に装着され、吊り杆１４はその開口部の上縁に水平に取り付けられる。また、カーテン生地１２は、吊り杆１４の一側面（部屋側）に剥離自在に接合して装着される。この場合、カーテン生地１２は、部屋側を表面とし窓側を裏面１ａとして吊り下げられ、吊り杆１４の長手方向の長さ寸法とほぼ同じ横幅寸法を有する縦長長方形状に成形される。
【００１５】
吊り杆１４は、金属製であって図４乃至図６に示すように下方が開口した横断面門型をなす柱状に成形され、側壁１４ａの一側面（部屋側）にその長手方向に沿って雄型の貼り合せファスナー１５が貼着されている。一方、吊り杆１４内に、その中央の長手方向に沿って回動軸１６が水平に配置される。この回動軸１６はその横断面が正六角形状をしており、両端部が吊り杆１４内に取り付けられた一対の軸受部１７，１７に軸支され、自在に回転し得るようになっている。また、回動軸１６にはほぼ等間隔に位置して四個の巻取りドラム１８が取着され、該各巻取りドラム１８に前記昇降コード７がそれぞれ巻き取られることになる。
【００１６】
図５に示すように、前記各巻取りドラム１８にはその外周面に取付孔１９を有する取付片２０が設けられ、該取付孔１９に補助コード２１の基端側が連結される。この補助コード２１の長さは巻取りドラム１８外周の２〜３倍程度の長さに設定され、その先端部に連結環２２が取着されている。このように、補助コード２１の長さを巻取りドラム１８外周の２〜３倍の寸法に設定したのは、昇降コード７の上端を着脱自在に係合させ易くするため、常に補助コード２１の先端が吊り杆１４の下端縁から下方へ少しの寸法分食み出させておく必要があるからである。
【００１７】
各巻取りドラム１８は軸孔１８ａの内周面が回動軸１６における正六角形の外周面に当接するようになっており、これによって、回動軸１６の回動と共に巻取りドラム１８が回動する。また、各巻取りドラム１８は吊り杆１４の内周面に固定される受承枠２３内に配置され、巻取りドラム１８両端の円筒部１８ｂ，１８ｂが受承枠２３両端の軸受凹部２４，２４に嵌入して支持される。このように、受承枠２３で巻取りドラム１８を支持するのは、昇降コード７を介して巻取りドラム１８に大きい荷重が加わることから、これによって回動軸１６が無用に撓まないようにするためである。
【００１８】
図６に示すように、一方の軸受部１７の外側であって回動軸１６の端部にスプロケット２５が固着されている。該スプロケット２５の外周面には嵌合凹部２６が周設され、各嵌合凹部２６に数珠状の多数の塊状部２７が順に嵌り込む無端状のチエン２８が掛けられている。スプロケット２５は周囲を両側が開放するカバー２９により覆われ、スプロケット２５に掛けられたチエン２８がカーテン生地１２の外側に位置するようになっている。
【００１９】
吊り杆１４は上記構成からなり、該吊り杆１４の一側面（部屋側）における雄型の貼り合せファスナー１５にカーテン生地１２における裏面１ａ上端の雌型の貼り合せファスナー４を貼り合せてカーテン生地１２を吊るす。そして、前記各昇降コード７の上端に設けられた係止具８をその浮糸部２から外し、該浮糸部２に昇降コード７を挿通したまま各補助コード２１下端の連結環２２に係止具８を係止させる。この状態で、チエン２８を正逆回転させれば各巻取りドラム１８が回動し、各昇降コード７が巻取りまたは巻戻しされることになり、これによってカーテン生地１２が上下に自在に折り畳められる。
【００２０】
特に、このローマンシエード１３にあっては、カーテン生地１２を汚れのため洗濯する際に該カーテン生地１２が容易に脱着できるようにしている。すなわち、図７、図８に示すように、各巻取りドラム１８から垂下される補助コード２１の連結環２２から昇降コード７の上端の係止具８を外す。この際、外した係止具８は、そのまま上端位置の浮糸部２に係合しておく。これにより、各昇降コード７はその上下両端がそれぞれ係止具８を介して上下位置の浮糸部２に係止されて外れることがなく、カーテン生地１２の洗濯中に昇降コード７が浮糸部２から抜け出てしまうのを防止できる。
【００２１】
次に、袋状部５からウエイトバー６を取り出しておき、この状態で雌型の貼り合せファスナー４を雄型の貼り合せファスナー１５から引き剥がして吊り杆１４からカーテン生地１２を外す。そして、各昇降コード７を付けたままカーテン生地１２を洗濯する。
【００２２】
カーテン生地１２の洗濯を終え乾燥した後は、吊り杆１４の雄型の貼り合せファスナー１５に雌型の貼り合せファスナー４を貼り合わせて吊り杆１４にカーテン生地１２を吊す。また、ウエイトバー６を袋状部５に戻す。そして、図８に示すように各昇降コード７上端の係止具８を各上端の浮糸部２から外し、再び、各補助コード２１の連結環２２に係合して連結する。
【００２３】
このように、昇降コード７の上端を巻取りドラム１８側とは分離し、昇降コード７の上端に巻取りドラム１８側に着脱自在に係合し得る係止具８を設けているので、吊り杆１４からカーテン生地１２を取り外す際に、各昇降コード７先端の係止具８を外すのみで、カーテン生地１２を外すことができることになる。よって、洗濯する際のカーテン生地１２の脱着作業及び窓とカーテン生地１２という狭い隙間における取付作業が簡単にかつ時間を掛けずに能率良く行なえる。
【００２４】
本発明に係るローマンシエードのカーテン生地１２は、生地本体１の裏面１ａに上下方向に沿って複数本の横方向を向く横糸２ａが束としてその裏面１ａ側へ浮き上がるように形成される浮糸部２を複数設け、該各浮糸部２と生地本体１の裏面１ａとの間に形成される縦隙間Ｓに昇降コード７を挿通して取着したので、昇降コード７を取着するために従来のようにガイド環をリングテープに縫着したり、該リングテープを生地本体１に縫着するといった面倒な作業を一切必要としない。よって、カーテン生地１２の製作が極めて容易であって楽になる。しかも、その製作時間も大幅に短縮されるばかりか、製作コストも格段に低廉になし得る。
【００２５】
また、上記説明では浮糸部群３を４列設けたが、これは生地本体１の横幅間の寸法により決められるもので、横幅が広くなれば浮糸部群３を５列、６列と増やすようにする。
【００２６】
生地本体１として織物生地を使用した場合を説明したが、生地本体として他に例えばレース生地を使用しても良い。図９（イ）はレース生地からなる生地本体の裏面の一部拡大斜視図、図９（ロ）は同一部拡大断面図である。この場合は、レース生地である生地本体３１の裏面３１ａに上下方向に沿って横方向に絡み合わさる複数本の柄糸３２が束としてその裏面３１ａへ浮き上がるように形成される浮糸部３３が設けられ、これらに昇降コード７が挿通され取着されることになる。詳しい説明は省略するが、このような構成であっても前記織物生地からなる生地本体１と同様な作用及び効果を得ることができる。
【図面の簡単な説明】
【００２７】
【図１】本発明に係る生地本体の裏面斜視図。
【図２】（イ）は生地本体の裏面の一部拡大斜視図、（ロ）は同一部拡大断面図。
【図３】本発明が適用されるローマンシエードの斜視図。
【図４】同吊り杆部位の正面断面図。
【図５】図４のＸ−Ｘ線断面図。
【図６】図４のＹ−Ｙ線断面図。
【図７】昇降コードを巻取りドラムから外す状態のカーテン生地の正面図。
【図８】同一部の拡大正面図。
【図９】（イ）はレース生地からなる生地本体の裏面の一部拡大斜視図、（ロ）は同一部拡大断面図。
【符号の説明】
【００２８】
１            生地本体
１ａ          一側面（裏面）
２            浮糸部
２ａ          横糸
７            昇降コード
１２          カーテン生地
１３          ローマンシエード
３１          生地本体
３１ａ        一側面（裏面）
３２          柄糸
３３          浮糸部
Ｓ            縦隙間
【図１】
2010029272.tif 000003
【図２】
2010029272.tif 000004
【図３】
2010029272.tif 000005
【図４】
2010029272.tif 000006
【図５】
2010029272.tif 000007
【図６】
2010029272.tif 000008
【図７】
2010029272.tif 000009
【図８】
2010029272.tif 000010
【図９】
2010029272.tif 000011